(57)【要約】【課題】  単純な構造により調光レベルを変化させるとともに照明を点灯／消灯させる調光器を提供する。【解決手段】  回動式の可変抵抗器を有し、可変抵抗器の抵抗値に応じて照明の調光レベルを制御する制御部３１と、照明の点灯／消灯を切り替える切換スイッチ３３と、制御部および切換スイッチを収納するケース５０と、可変抵抗器の回動軸に取り付けられ回動操作に応じて可変抵抗器の抵抗値を変化させるつまみ部１０と、つまみ部を貫通させるつまみ部孔２１を有し、押圧操作により切換スイッチをオン／オフするスイッチパネル２０と、を備える調光器１。【選択図】  図１
0003205170.tif 000002
【実用新案登録請求の範囲】
【請求項１】
回動式の可変抵抗器を有し、前記可変抵抗器の抵抗値に応じて照明の調光レベルを制御する制御部と、
前記照明の点灯／消灯を切り替える切換スイッチと、
前記制御部および前記切換スイッチを収納するケースと、
前記可変抵抗器の回動軸に取り付けられ回動操作に応じて前記可変抵抗器の抵抗値を変化させるつまみ部と、
前記つまみ部を貫通させるつまみ部孔を有し、押圧操作により前記切換スイッチをオン／オフするスイッチパネルと、
を備える調光器。
【請求項２】
前記スイッチパネルの一の辺に偏在した部分に一方を当接し、前記押圧操作により前記切換スイッチに他方を当接してオン／オフする押圧棒をさらに備え、
前記スイッチパネルは、前記一の辺に対向する他の辺に偏在し、前記ケースにより支持される被支持部を有し、
前記ケースは、一の面に、
前記つまみ部および／または前記回動軸を貫通させる回動孔と、
前記押圧棒を貫通させる押圧孔と、
前記スイッチパネルの前記被支持部を軸支するスイッチパネル支持部と、
を有し、
前記スイッチパネルの前記つまみ部孔は、前記他の辺に偏在していることを特徴とする請求項１に記載の調光器。
【考案の詳細な説明】
【技術分野】
【０００１】
本考案は、調光器に関し、取付枠を介して壁面に取り付けられる調光器に関する。
【背景技術】
【０００２】
従来から、照明器具の調光レベルを調整するための調光器が提供されている。たとえば、特許文献１は、調光の下限時における消費電力を低減する調光器を開示する。この調光器は、ロータリ式の可変抵抗器と、可変抵抗器の抵抗値に基づいたデューティ比率のデューティ信号を生成する調光制御回路と、調光制御回路からのデューティ信号に応じた調光信号を照明器具に出力する信号出力回路とを備える。またこの調光器は、可変抵抗器に取り付けられて所定の範囲内で回動する調光ツマミを有しており、この調光ツマミを操作することで可変抵抗器の抵抗値を変化させて、抵抗値に応じた調光信号を照明器具に出力する。例えば、可変抵抗器の抵抗値が最小となる一方の回転端まで調光ツマミを回動させた場合には、調光レベルを０％とする調光信号が照明器具に出力され、この調光信号により照明器具の光源が消灯する。
【０００３】
また、調光ツマミと共に切替スイッチにより照明器具を点灯／消灯させる調光器も開示されている。たとえば、特許文献２は、調光操作部及びケースを共通化することで製造コストを低減させた調光器を開示する。この調光器は、ロータリ式の可変抵抗器と、可変抵抗器の抵抗値に応じて照明負荷の調光レベルを制御する調光制御部と、可変抵抗器の回動軸に取り付けられ回動操作に応じて可変抵抗器の抵抗値を変化させる回転ハンドルと、少なくとも可変抵抗器及び調光制御部が収納されるケースとを備える。この調光器では、回転ハンドルの回動に応じて回動軸とともに所定位置まで回転すると、照明負荷の点灯／消灯を切り替える切換スイッチの操作子に接触して照明負荷を消灯させるレバー部材を回動軸に対して着脱自在としている。
【先行技術文献】
【特許文献】
【０００４】
【特許文献１】特開２０１１−１５０９８１号公報
【特許文献２】特開２０１３−１４５７０４号公報
【考案の概要】
【考案が解決しようとする課題】
【０００５】
調光器においては、照明をオンオフさせるスイッチと共に提供されることが望ましいが、特許文献２に開示された調光器では、調光レベルを変化させるとともに照明を点灯／消灯させる構造が複雑なため、コスト高となっていた。
そこで、本考案は、より単純な構造により調光レベルを変化させるとともに照明を点灯／消灯させる調光器を提供する。
【課題を解決するための手段】
【０００６】
上記課題を解決するために、回動式の可変抵抗器を有し、可変抵抗器の抵抗値に応じて照明の調光レベルを制御する制御部と、照明の点灯／消灯を切り替える切換スイッチと、制御部および切換スイッチを収納するケースと、可変抵抗器の回動軸に取り付けられ回動操作に応じて可変抵抗器の抵抗値を変化させるつまみ部と、つまみ部を貫通させるつまみ部孔を有し、押圧操作により切換スイッチをオン／オフするスイッチパネルと、を備える調光器が提供される。
これによれば、スイッチパネルにつまみ部が貫通するつまみ孔を設けることで、より単純な構造により調光レベルを変化させるとともに照明を点灯／消灯させる調光器を提供することができる。
【０００７】
さらに、スイッチパネルの一の辺に偏在した部分に一方を当接し、押圧操作により切換スイッチに他方を当接してオン／オフする押圧棒をさらに備え、スイッチパネルは、一の辺に対向する他の辺に偏在し、ケースにより支持される被支持部を有し、ケースは、一の面に、つまみ部および／または回動軸を貫通させる回動孔と、押圧棒を貫通させる押圧孔と、スイッチパネルの被支持部を軸支するスイッチパネル支持部と、を有し、スイッチパネルのつまみ部孔は、他の辺に偏在していることを特徴としてもよい。
これによれば、つまみ部孔が被支持部と同じ側に偏在することで、つまみ部を取り囲むつまみ部孔の径をつまみ部よりあまり大きくしなくても、スイッチパネルを押圧する際動いてもつまみ部と干渉することがないので、化粧面としても好ましい調光器を提供することができる。
【考案の効果】
【０００８】
以上説明したように、本考案によれば、より単純な構造により調光レベルを変化させるとともに照明を点灯／消灯させる調光器を提供できる。
【図面の簡単な説明】
【０００９】
【図１】本考案に係る第一実施例の調光器の展開斜視図。
【図２】本考案に係る第一実施例の調光器の、（Ａ）正面図、（Ｂ）平面図、（Ｃ）背面図、（Ｄ）右側面図、（Ｅ）左側面図、（Ｆ）背面図、（Ｇ）斜視図。
【図３】本考案に係る第一実施例の調光器のケース（前ケースのみ）の、（Ａ）正面図、（Ｂ）平面図、（Ｃ）右側面図。
【図４】本考案に係る第一実施例の調光器のスイッチパネルの、（Ａ）正面図、（Ｂ）平面図、（Ｃ）右側面図。
【図５】本考案に係る第一実施例の調光器のつまみ部の、（Ａ）正面図、（Ｂ）平面図、（Ｃ）側面図、（Ｄ）底面図。
【考案を実施するための形態】
【００１０】
＜第一実施例＞
以下では、図面を参照しながら、本考案に係る実施例について説明する。図１および図２を参照し、本実施例にかかる調光器１について説明する。調光器１は、取付枠（図示せず）を介して建物の壁面に取り付けられ、照明の点灯や消灯および照明の明るさ（調光レベル）の調節を行うための器具である。調光器１は、取付枠により、取付枠を取り付ける施工面（建物の内装壁の表面）である壁面に設けられた埋込孔に配設される。
【００１１】
調光器１は、照明の調光レベルを制御する制御部３１などを含む基板３０と、基板３０を内部に収納するケース５０と、ケース５０に取り付けられ、照明を点灯／消灯するためのスイッチパネル２０と、基板３０から延びる回動軸３２に取り付けられ、照明の調光レベルを調節するために操作するつまみ部１０とを備える。基板３０は、回動式の可変抵抗器を有し、その可変抵抗器の抵抗値に応じて照明の調光レベルを制御する制御部３１と、照明の点灯／消灯を切り替える切換スイッチ３３と、照明の点灯／消灯の状態を示す発光部３４と、これらを機能させるための付随する部品や配線などを有する。
【００１２】
制御部３１は、交流電源から電力を受けて照明に供給し、照明の調光レベルを制御するための公知の機能を含む。典型的には、制御部３１は、交流電圧を整流して直流電圧に変換する整流器、直流電圧をオン／オフするスイッチング素子、回動軸３２の回転位置に応じて抵抗値が変化する可変抵抗器などを有する。制御部３１は、可変抵抗器の抵抗値に基づいてスイッチング素子をオン／オフすることにより照明に供給する電力を制御し、回転位置に応じた調光レベルで照明を点灯させる。
【００１３】
切換スイッチ３３は、照明の点灯／消灯を切り替えるスイッチであり、制御部３１と直列に接続されており、切換スイッチ３３が点灯（オン）の場合に、制御部３１の調光レベルの制御が有効となる。切換スイッチ３３は、押圧操作によりオンとオフが切り替わるタイプのスイッチであり、後述する押圧棒２３を介してスイッチパネル２０により押圧されて、オン／オフが切り換えられる。発光部３４は、切換スイッチ３３がオンの時に消灯し、オフの時に点灯する。したがって、切換スイッチ３３をオンすると、照明と発光部３４の両方が点灯し、オフすると両方が消灯する。なお、発光部３４は、発光ダイオードなどの小電力で発光するものが好ましい。
【００１４】
ケース５０は、内部に基板３０をすなわち制御部３１と切換スイッチ３３を収納するための合成樹脂製の箱であり、２つの部品である前ケース５０Ａと後ケース５０Ｂから構成される。後ケース５０Ｂは、回動軸３２を前ケース５０Ａの方へ向けて、基板３０を底部に配置する。前ケース５０Ａは前連結部５７Ａを、後ケース５０Ｂは後連結部５７Ｂを有し、互いが係合することにより、前ケース５０Ａと後ケース５０Ｂが一体となり、ケース５０を構成する。なお、後ケース５０Ｂの底部には、電線差込口Ｔがあり、照明から埋込孔に配設された電線を受け入れるようになっており、その電線は、内部の制御部５０などに電気的に接続される。
【００１５】
つまみ部１０は、前ケース５０Ａの方へ向けられている可変抵抗器の回動軸３２に取り付けられ、照明の調光レベルを調節するために操作する操作部である。つまみ部１０は、右回転または左回転させる回動操作に応じて可変抵抗器の抵抗値を変化させる。調光器１の操作者は、つまみ部１０を摘まむなどして左右に回転させることにより、照明の調光レベルを調節する。つまみ部１０は、図５に示すように、奥側から手前側へ徐々に半径が小さくなる円筒形の外形をなし、底部には、回動軸３２と適合する回動軸差込穴１１を有する。
【００１６】
前ケース５０Ａは、図３にも示すように、前述した取付枠に設けられた孔または凹部に適合する位置である両側の側面に取付突起部５６を２つずつ有する。取付突起部５６が取付枠の孔（または凹部）に係合することにより、調光器１は取付枠に取り付けられる。そして、取付枠が壁面に設けられた埋込孔に設置されることで、調光器１は、壁面に設置される。
【００１７】
前ケース５０Ａは、さらに、上面に、回動孔５１と、押圧孔５２と、導光孔５３と、係合孔５４と、スイッチパネル支持部５５とを備える。回動孔５１は、つまみ部１０を調光器１の前面にまで露出するように、つまみ部１０や回動軸３２を貫通させるように開いている。したがって、回動孔５１の直径は、つまみ部１０の円筒形の根元部分の直径よりやや大きい程度である。なお、本実施例では、つまみ部１０は、ケース５０の内部から回動孔５１に突出している構成であるが、別の構成では、回動軸３２がケース５０の内部から回動孔５１に突出して、つまみ部がケース５０の外部から回動軸３２に取り付けられてもよい。このような場合には、回動孔５１は、回動軸３２のみを貫通させるように開いていてもよい。この場合の回動孔５１の直径は、回動軸３２の直径よりやや大きい程度でもよい。
【００１８】
押圧孔５２は、スイッチパネル２０の押圧力を切換スイッチ３３に伝達するための押圧棒２３を貫通させる。押圧棒２３は、ケース５０の外部であって前ケース５０Ａとスイッチパネル２０の間に位置する外押圧棒２３Ａと、ケース５０の内部であって前ケース５０Ａと基板３０上の切換スイッチ３３の間に位置する内押圧棒２３Ｂとから構成される。外押圧棒２３Ａのスイッチパネル２０側の端部はそれ以外の部分よりも太く形成されていて、当該太い部分と前ケース５０Ａの間のより細い部分にバネ（図示せず）を保持し、押圧棒２３を付勢できるようになっている。外押圧棒２３Ａは、当該より細い部分で押圧孔５２を貫通し、内押圧棒２３Ｂと連結され、外押圧棒２３Ａと内押圧棒２３Ｂとで、押圧棒２３を構成する。内押圧棒２３Ｂの外押圧棒２３Ａと連結された側と反対の一端は、切換スイッチ３３に当接する。したがって、押圧孔５２は、外押圧棒２３Ａの当該細い部分を貫通できる程度の直径があればよい。
【００１９】
導光孔５３は、導光棒２７を介して発光部３４の光をスイッチパネル２０に届けるための孔であり、導光棒２７を貫通させるように開いている。導光棒２７は、ケース５０に配置され、その基板３０側の一端を、発光部３４に当接または近接した位置するように配置され、透明樹脂の内面反射を利用して発光部３４が発光した光が拡散せずにスイッチパネル２０まで導く導光部材である。導光棒２７の前ケース５０Ａ側の一端は、導光孔５３の中を貫通し、スイッチパネル２０の光窓２６に取り付けられる導光片２８に近接している。導光片２８は、少なくとも光を光窓２６に導く部分は導光部材から構成されており、導光片２８が導光棒２７の一端と近接することで、発光部３４からの光を光窓２６に届けることができる。したがって、導光孔５３は、導光棒２７の直径を貫通できる程度の直径があればよい。
【００２０】
スイッチパネル支持部５５は、スイッチパネル２０の被支持部２２と一致する位置に設けられ、被支持部２２を軸支する。スイッチパネル支持部５５および被支持部２２は、それぞれ一対をなした軸支孔を有し、互いの軸支孔に軸（図示せず）を通すことで、両者が回動自在に連結される。
【００２１】
係合孔５４は、スイッチパネル２０の係合片２５と係合するための孔である。スイッチパネル２０は、被支持部２２においてケース５０のスイッチパネル支持部５５により回動自在に軸支されるが、被支持部２２およびスイッチパネル支持部５５に対向する側に位置する係合片２５と係合孔５４が互いに係合することで、スイッチパネル２０がケース５０に対して安定して取り付けられる。
【００２２】
また、係合片２５は、スイッチパネル２０を押圧する方向において係合孔５４と嵌合して自由に動くと共に、押圧方向とは逆方向（手前側の方向）において係合片２５の先端にある爪部が係合孔５４に係合することで、スイッチパネル２０が手前側に離れてしまうことを防止する。したがって、係合孔５４は、かかる係合片２５を嵌合すると共に、係合片２５の爪部と係合する構成を有する。
【００２３】
スイッチパネル２０は、図４にも示すように、照明を点灯／消灯するための操作部であり、調光器１の前面（機能面）の大部分を構成すると共に、つまみ部１０を貫通させるつまみ部孔２１を有し、調光レベルを調節する操作部であるつまみ部１０を化粧面２４から露出させる。スイッチパネル２０は、化粧面２４と反対側の面（ケース５０に面した面。裏面）において、当該反対側の面に一方を当接し、切換スイッチ３３に他方を当接する押圧棒２３を押圧する。そうすると、調光器１の操作者がスイッチパネル２０を押圧操作すると、その押圧変位がそのまま切換スイッチ３３に伝わり、切換スイッチ３３をオン／オフする。
【００２４】
スイッチパネル２０は、被支持部２２において、スイッチパネル支持部５５により回動自在に軸支されるが、被支持部２２から押圧棒２３が当接する位置までの距離は、当該距離を半径とする仮想的な円における押し下げストロークが切換スイッチ３３をオン／オフできるストロークを確保できる程度あればよい。このように、スイッチパネル２０につまみ部１０が貫通するつまみ部孔２１を設けることで、照明を点灯／消灯するための操作部（スイッチパネル２０）と照明の調光レベルを調節するための操作部（つまみ部１０）がコンパクトに一体化される。
【００２５】
スイッチパネル２０は、あたかも従来技術におけるつまみ部に対するカバーのような位置に配置されるが、照明を点灯／消灯できる機能を有するものである。したがって、従来技術の調光器では、調光レベルを変化させるとともに照明を点灯／消灯させるための一体的な構造としては大変複雑な構造となっていた、または、調光レベルを変化させるつまみ部と照明を点灯／消灯させるスイッチを別々に設ける必要があったが、本発明では、より単純な構造により調光レベルを変化させるとともに照明を点灯／消灯させる調光器１を提供することができる。
【００２６】
また、押圧棒２３は、スイッチパネル２０の正面視右寄りに偏った位置でスイッチパネル２０の裏面と当接すると共に、被支持部２２は、スイッチパネル２０の正面視左寄りに偏った位置に設けられる。そして、スイッチパネル２０のつまみ部孔２１は、被支持部２２と同様、スイッチパネル２０の正面視左寄りに偏った位置に設けられる。そうすると、押圧棒２３は、スイッチパネル２０において一の辺に偏在した部分に一方を当接し、スイッチパネル２０の被支持部２２は、スイッチパネル２０において一の辺に対向した他の辺に偏在して設けられると共に、つまみ部孔２１は、当該他の辺に偏在している。
【００２７】
より具体的には、つまみ部孔２１の内縁における正面視で最も左に位置する点Ｌは、被支持部２２が軸支される軸の部分にほぼ一致する。このように、つまみ部孔２１が被支持部２２と同じ側に偏在することで、つまみ部孔２１の押し下げストローク（正面視円弧上の軌跡の垂直方向の成分の変位）が小さくなると共に、円弧上の軌跡の水平方向の成分の変位も小さくなる。そうすると、つまみ部１０を取り囲むつまみ部孔２１の径をつまみ部１０よりあまり大きくしなくても、スイッチパネル２０を押圧する際動いてもつまみ部１０と干渉することがないので、化粧面２４としても好ましい調光器１を提供することができる。
【００２８】
なお、本考案は、例示した実施例に限定するものではなく、特許請求の範囲の各項に記載された内容から逸脱しない範囲の構成による実施が可能である。すなわち、本考案は、主に特定の実施形態に関して特に図示され、かつ説明されているが、本考案の技術的思想および目的の範囲から逸脱することなく、以上述べた実施形態に対し、数量、適用例、その他の詳細な構成において、当業者が様々な変形を加えることができるものである。
【符号の説明】
【００２９】
１        調光器
１０      つまみ部
１１      回動軸差込穴
２０      スイッチパネル
２１      つまみ部孔
２２      被支持部
２３      押圧棒
２４      化粧面
２５      係合片
２６      光窓
２７      導光棒
２８      導光片
３０      基板
３１      制御部
３２      可変抵抗器の回動軸
３３      切換スイッチ
３４      発光部
５０      ケース
５０Ａ    前ケース
５０Ｂ    後ケース
５１      回動孔
５２      押圧孔
５３      導光孔
５４      係合孔
５５      スイッチパネル支持部
５６      取付突起部
５７Ａ    前連結部
５７Ｂ    後連結部
Ｔ        電線差込口
【図１】
0003205170.tif 000003
【図２】
0003205170.tif 000004
【図３】
0003205170.tif 000005
【図４】
0003205170.tif 000006
【図５】
0003205170.tif 000007